【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
多値画像データを、複数の画素からなる所定の領域ごとにサンプリングすることにより前記領域ごとの階調情報を生成し、前記生成した階調情報を蓄積部に格納するサンプリング手段と、
前記多値画像データから各画素の属性を示す属性情報を生成し、前記生成した属性情報を前記蓄積部に格納する生成手段と、
前記蓄積部に蓄積された前記階調情報と前記属性情報に基づき、前記多値画像データを、前記多値画像データの階調数よりも少ない階調数のハーフトーン画像データに変換するハーフトーン処理手段とを有する画像処理装置。
【請求項２】
前記蓄積部から前記階調情報を読み出し、前記読み出した階調情報から前記多値画像データと同じ解像度の画像データを復元し、前記復元した画像データを前記ハーフトーン処理手段に供給する復元手段を有し、
前記ハーフトーン処理手段は、前記復元された画像データと、前記蓄積部に蓄積された属性情報に基づき、前記多値画像データを前記ハーフトーン画像データに変換する請求項1に記載された画像処理装置。
【請求項３】
前記領域は、前記ハーフトーン画像データにおける階調の再現単位と同じである請求項2に記載された画像処理装置。
【請求項４】
前記領域は、前記ハーフトーン画像データにおける階調の再現単位の面積以上の矩形領域である請求項2に記載された画像処理装置。
【請求項５】
前記蓄積部から前記階調情報を読み出し、前記読み出した階調情報から前記多値画像データと同じ解像度の画像データを復元する復元手段と、
前記復元された画像データを前記ハーフトーン画像データにおける階調の再現単位と同じ領域ごとにサンプリングすることにより前記領域ごとの階調情報を生成し、前記領域ごとの階調情報を前記ハーフトーン処理手段に供給する再サンプリング手段とを有し、
前記ハーフトーン処理手段は、前記領域ごとの階調情報と、前記蓄積部に蓄積された属性情報に基づき、前記多値画像データを前記ハーフトーン画像データに変換する請求項1に記載された画像処理装置。
【請求項６】
前記蓄積部から読み出した前記階調情報に画像出力部の出力特性に基づく補正処理を施し、前記補正処理を施した階調情報を前記ハーフトーン処理手段に供給する補正手段を有する請求項1に記載された画像処理装置。
【請求項７】
前記画像出力部の位置ずれ情報に従って前記蓄積部から前記階調情報を読み出し、前記読み出した階調情報から前記多値画像データと同じ解像度の画像データを復元する復元手段と、
前記復元された画像データを前記ハーフトーン画像データにおける階調の再現単位と同じ領域ごとにサンプリングすることにより前記領域ごとの階調情報を生成し、前記領域ごとの階調情報を前記補正手段に供給する再サンプリング手段と、
前記画像出力部の位置ずれ情報に従って前記蓄積部から前記属性情報を読み出し、前記読み出した属性情報を前記ハーフトーン処理手段に供給する供給手段とを有する請求項6に記載された画像処理装置。
【請求項８】
前記蓄積部に蓄積された前記階調情報から前記多値画像データと同じ解像度の画像データを復元し、前記復元した画像データを前記補正手段に供給する復元手段を有する請求項6に記載された画像処理装置。
【請求項９】
前記蓄積部に蓄積された前記階調情報から前記多値画像データと同じ解像度の画像データを復元する復元手段と、
前記復元された画像データを前記ハーフトーン画像データにおける階調の再現単位と同じ領域ごとにサンプリングすることにより前記領域ごとの階調情報を生成し、前記領域ごとの階調情報を前記補正手段に供給する再サンプリング手段とを有する請求項6に記載された画像処理装置。
【請求項１０】
前記復元手段は、前記領域ごとの階調情報を当該領域に含まれる全画素にコピーして前記画像データを復元する請求項2から請求項5、請求項7から請求項9の何れか一項に記載された画像処理装置。
【請求項１１】
前記蓄積部に蓄積された前記階調情報と前記属性情報に画像編集処理を施す処理手段を有する請求項1から請求項10の何れか一項に記載された画像処理装置。
【請求項１２】
前記画像編集処理は回転処理または斜行補正である請求項11に記載された画像処理装置。
【請求項１３】
前記階調情報は前記領域に含まれる画素の値の平均値である請求項1から請求項12の何れか一項に記載された画像処理装置。
【請求項１４】
前記属性情報は白画素を表す請求項1から請求項13の何れか一項に記載された画像処理装置。
【請求項１５】
前記属性情報は黒画素を表す請求項1から請求項13の何れか一項に記載された画像処理装置。
【請求項１６】
前記ハーフトーン処理手段は、前記属性情報が白画素または黒画素を表す画素においては白画素または黒画素に対応する値を出力し、前記属性情報がグレイを表す画素においては前記階調情報をハーフトーン処理した値を出力する請求項1から請求項13の何れか一項に記載された画像処理装置。
【請求項１７】
前記階調情報をデータ圧縮し、前記データ圧縮した階調情報を前記蓄積部に格納する第一の圧縮手段と、
前記属性情報をデータ圧縮し、前記データ圧縮した属性情報を前記蓄積部に格納する第二の圧縮手段とを有する請求項1から請求項16の何れか一項に記載された画像処理装置。
【請求項１８】
前記第一の圧縮手段は前記データ圧縮としてロッシー符号化を行い、前記第二の圧縮手段は前記データ圧縮としてロスレス符号化を行う請求項17に記載された画像処理装置。
【請求項１９】
ネットワーク上のサーバ装置と通信を行う通信手段を有し、
前記蓄積部は前記サーバ装置の記憶部である請求項1から請求項18の何れか一項に記載された画像処理装置。
【請求項２０】
前記サンプリング手段は、Ｍ画素×Ｎ画素（Ｍ，Ｎは正の整数）のＫビット（Ｋは３より大きい）の画素値からなる前記多値画像データを、ｍ×ｎ（ｍ，ｎは正の整数、かつＭ＞ｍ，Ｎ＞ｎ）個のＫビットの画素値からなる階調情報に変換し、
前記生成手段は、Ｍ×Ｎ個のｋビット（ｋは正の整数、Ｋ＞ｋ）からなる属性情報を生成することを特徴とする請求項1から請求項19の何れか一項に記載された画像処理装置。
【請求項２１】
多値画像データを、複数の画素からなる所定の領域ごとにサンプリングすることにより前記領域ごとの階調情報を生成し、前記生成した階調情報を蓄積部に格納し、
前記多値画像データから各画素の属性を示す属性情報を生成し、前記生成した属性情報を前記蓄積部に格納し、
前記蓄積部に蓄積された前記階調情報と前記属性情報に基づき、前記多値画像データを、前記多値画像データの階調数よりも少ない階調数のハーフトーン画像データに変換するハーフトーン処理を行う画像処理方法。
【請求項２２】
コンピュータを請求項1から請求項20の何れか一項に記載された画像処理装置の各手段として機能させるためのプログラム。
【請求項２３】
請求項22に記載されたプログラムが記録されたコンピュータが読み取り可能な記録媒体。
【手続補正２】
【補正対象書類名】明細書
【補正対象項目名】００１３
【補正方法】変更
【補正の内容】
【００１３】
本発明にかかる画像処理は、多値画像データを、複数の画素からなる所定の領域ごとにサンプリングすることにより前記領域ごとの階調情報を生成し、前記生成した階調情報を蓄積部に格納し、前記多値画像データから各画素の属性を示す属性情報を生成し、前記生成した属性情報を前記蓄積部に格納し、前記蓄積部に蓄積された前記階調情報と前記属性情報に基づき、前記多値画像データを、前記多値画像データの階調数よりも少ない階調数のハーフトーン画像データに変換するハーフトーン処理を行う。